【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
無線通信を要求するホストと、前記要求を受信するデバイスとを備えた無線通信システムであって、
前記ホストは、
前記デバイスとの無線通信を要求する通信要求を前記デバイスに送信する前に、当該ホストを利用している利用ユーザを識別する利用ユーザ識別情報を前記デバイスに送信する通信部を有し、
前記デバイスは、
前記ホストから前記利用ユーザ識別情報を受信する通信部と、
前記デバイスとの通信を許可されているユーザのユーザ識別情報を格納するユーザ識別情報格納部と、
前記デバイスの前記通信部が受信した前記利用ユーザ識別情報と前記ユーザ識別情報格納部が格納している前記ユーザ識別情報を比較することにより、前記利用ユーザを認証するユーザ認証部と、
前記認証部が前記利用ユーザの認証に成功した場合に、認証に成功した旨を示す認証済情報を格納する認証済情報格納部と
を有し、
前記デバイスの前記通信部は、前記ユーザ認証部が前記利用ユーザの認証に成功した場合に、前記認証済情報を前記ホストに送信し、
前記ホストの前記通信部は、前記デバイスとの無線通信のアソシエーションにおいて、前記デバイスに前記認証済情報を送信し、
前記デバイスの前記通信部は、前記ホストから受信した前記認証済情報と、前記認証済情報格納部が格納している前記認証済情報とが一致した場合に、前記ホストとの前記アソシエーションを継続することを特徴とする無線通信システム。
【請求項２】
前記デバイスの前記通信部は、前記デバイスから受信した前記認証済情報と、前記認証済情報格納部が格納している前記認証済情報とが一致しない場合に、前記ホストとの前記アソシエーションを中止することを特徴とする請求項１に記載の無線通信システム。
【請求項３】
前記アソシエーションは、ニアフィールドアソシエーションモデルの通信規格による処理であることを特徴とする請求項１または２に記載の無線通信システム。
【請求項４】
前記ホストは、前記利用ユーザからの入力を受け付ける入力受付部をさらに有し、
前記ホストの前記通信部は、前記入力受付部が前記利用ユーザから前記認証済情報を要求する旨の入力を受け付けた場合に、前記利用ユーザ識別情報を前記デバイスに送信することを特徴とする請求項１から３のいずれか一項に記載の無線通信システム。
【請求項５】
前記ホストは、前記認証済情報を格納する認証済情報格納部をさらに有し、
前記ホストの前記通信部は、前記認証済情報格納部に格納されている前記認証済情報を前記デバイスに送信することを特徴とする請求項１から４のいずれか一項に記載の無線通信システム。
【請求項６】
前記認証済情報は、前記ユーザ認証部による前記利用ユーザの認証処理を識別する認証識別情報を含むことを特徴とする請求項１から５のいずれか一項に記載の無線通信システム。
【請求項７】
前記認証済情報は、前記ホストを識別する第１ホスト識別情報を含むことを特徴とする請求項１から６のいずれか一項に記載の無線通信システム。
【請求項８】
前記第１ホスト識別情報は、前記アソシエーションにおいて利用される情報であって、前記ホストを識別する情報である第２ホスト識別情報とは異なる情報であることを特徴とする請求項７に記載の無線通信システム。
【請求項９】
前記認証済情報は、前記利用ユーザ識別情報を含むことを特徴とする請求項１から８のいずれか一項に記載の無線通信システム。
【請求項１０】
前記デバイスは、Ｗｅｂサーバ機能により、システム管理者からの指示に基づいて、前記ユーザ識別情報格納部への前記ユーザ識別情報の追加、削除および修正を行う更新部をさらに有することを特徴とする請求項１から９のいずれか一項に記載の無線通信システム。
【請求項１１】
前記デバイスは、システム管理者による入力を受け付ける入力受付部をさらに有し、
前記デバイスの通信部は、前記入力受付部が前記認証済情報を要求する旨の入力を受け付けた場合に、前記アソシエーションにおいて前記デバイスに対して前記認証済情報を要求し、前記デバイスから受信した前記認証済情報と、前記認証済情報格納部が格納している前記認証済情報とが一致した場合に、前記ホストとのアソシエーションを継続することを特徴とする請求項１から１０のいずれか一項に記載の無線通信システム。
【請求項１２】
デバイスに対し、無線通信を要求するホストであって、
前記デバイスとの無線通信を要求する通信要求を前記デバイスに送信する前に、当該ホストを利用している利用ユーザを識別する利用ユーザ識別情報を前記デバイスに送信する通信部と、
前記通信部が前記デバイスから前記利用ユーザの認証に成功した旨を示す認証済情報を受信すると、当該認証済情報を格納する認証済情報格納部と
を有し、
前記通信部は、前記デバイスとの無線通信のアソシエーションにおいて、前記デバイスに前記認証済情報を送信し、前記デバイスから当該デバイスとのアソシエーションの継続を許可された場合に、前記アソシエーションを継続することを特徴とするホスト。
【請求項１３】
ホストから無線通信の要求を受信するデバイスであって、
前記ホストから、当該ホストを利用する利用ユーザを識別する利用ユーザ識別情報を受信する通信部と、
前記デバイスとの通信を許可されているユーザのユーザ識別情報を格納するユーザ識別情報格納部と、
前記通信部が受信した前記利用ユーザ識別情報と前記ユーザ識別情報格納部が格納している前記ユーザ識別情報を比較することにより、前記利用ユーザを認証するユーザ認証部と、
前記ユーザ認証部が前記利用ユーザの認証に成功した場合に、認証に成功した旨を示す認証済情報を格納する認証済情報格納部と
を有し、
前記通信部は、前記ユーザ認証部が前記利用ユーザの認証に成功した場合に、前記認証済情報を前記ホストに送信し、
前記通信部は、前記ホストから受信した前記認証済情報と、前記認証済情報格納部が格納している前記認証済情報とが一致した場合に、前記ホストとの前記アソシエーションを継続することを特徴とするデバイス。
【請求項１４】
無線通信を要求するホストと、前記要求を受信するデバイスとを備えた無線通信システムにおける無線通信方法であって、
前記デバイスは、前記デバイスとの通信を許可されているユーザのユーザ識別情報を格納するユーザ識別情報格納部を備え、
前記ホストの通信部が、前記デバイスとの無線通信を要求する通信要求を前記デバイスに送信する前に、当該ホストを利用している利用ユーザを識別する利用ユーザ識別情報を前記デバイスに送信する第１通信ステップと、
前記デバイスの通信部が、前記ホストから前記利用ユーザ識別情報を受信する第２通信ステップと、
前記デバイスのユーザ認証部が、前記デバイスの前記通信部が受信した前記利用ユーザ識別情報と前記格納部が格納している前記ユーザ識別情報を比較することにより、前記利用ユーザを認証するユーザ認証ステップと、
前記デバイスの前記通信部が、前記ユーザ認証部が前記利用ユーザの認証に成功した場合に、前記認証済情報を前記ホストに送信する第３通信ステップと、
前記ホストの前記通信部が、前記デバイスとの無線通信のアソシエーションにおいて、前記デバイスに前記認証済情報を送信する第４通信ステップと、
前記デバイスの前記通信部が、前記ホストから受信した前記認証済情報と、前記認証済情報格納部が格納している前記認証済情報とが一致した場合に、前記ホストとの前記アソシエーションを継続する第５通信ステップと
を有することを特徴とする無線通信方法。
【請求項１５】
デバイスに対し、無線通信を要求するホストにおける無線通信方法であって、
通信部が、前記デバイスとの無線通信を要求する通信要求を前記デバイスに送信する前に、当該ホストを利用している利用ユーザを識別する利用ユーザ識別情報を前記管理サーバに送信する第１通信ステップと、
前記通信部が前記デバイスから前記利用ユーザの認証に成功した旨を示す認証済情報を受信する第２通信ステップと、
前記通信部が、前記デバイスとの無線通信のアソシエーションにおいて、前記デバイスに前記認証済情報を送信する第３通信ステップと、
前記通信部が、前記デバイスから当該デバイスとのアソシエーションの継続を許可された場合に、前記アソシエーションを継続する第４通信ステップと
を有することを特徴とする無線通信方法。
【請求項１６】
ホストから無線通信の要求を受信するデバイスにおける無線通信方法であって、
前記デバイスは、前記デバイスとの通信を許可されているユーザのユーザ識別情報を格納するユーザ識別情報格納部を備え、
通信部が、前記ホストから、当該ホストを利用する利用ユーザを識別する利用ユーザ識別情報を受信する第１通信ステップと、
ユーザ認証部が、前記通信部が受信した前記利用ユーザ識別情報と前記ユーザ識別情報格納部が格納している前記ユーザ識別情報を比較することにより、前記利用ユーザを認証するユーザ認証ステップと、
前記通信が、前記ユーザ認証ステップで前記利用ユーザの認証に成功した場合に、前記認証済情報を前記ホストに送信する第２通信ステップと、
前記通信部が、前記ホストから受信した前記認証済情報と、前記認証済情報格納部が格納している前記認証済情報とが一致した場合に、前記ホストとの前記アソシエーションを継続する第３通信ステップと
を有することを特徴とする無線通信方法。
【手続補正２】
【補正対象書類名】明細書
【補正対象項目名】発明の名称
【補正方法】変更
【補正の内容】
【発明の名称】無線通信システム、ホスト、デバイスおよび無線通信方法
【手続補正３】
【補正対象書類名】明細書
【補正対象項目名】０００１
【補正方法】変更
【補正の内容】
【０００１】
本発明は、無線通信を行う無線通信システム、ホスト、デバイスおよび無線通信方法に関する。
【手続補正４】
【補正対象書類名】明細書
【補正対象項目名】００２３
【補正方法】変更
【補正の内容】
【００２３】
本発明は、上記に鑑みてなされたものであって、本来デバイスへのアクセス権限を有さないホストのユーザからの指示による、ホストとデバイスの間のアソシエーションの実行を制限することのできる無線通信システム、ホスト、デバイスおよび無線通信方法を提供することを目的とする。
【手続補正５】
【補正対象書類名】明細書
【補正対象項目名】００２４
【補正方法】変更
【補正の内容】
【００２４】
上述した課題を解決し、目的を達成するために、本発明は、無線通信を要求するホストと、前記要求を受信するデバイスとを備えた無線通信システムであって、前記ホストは、前記デバイスとの無線通信を要求する通信要求を前記デバイスに送信する前に、当該ホストを利用している利用ユーザを識別する利用ユーザ識別情報を前記デバイスに送信する通信部を有し、前記デバイスは、前記ホストから前記利用ユーザ識別情報を受信する通信部と、前記デバイスとの通信を許可されているユーザのユーザ識別情報を格納するユーザ識別情報格納部と、前記デバイスの前記通信部が受信した前記利用ユーザ識別情報と前記ユーザ識別情報格納部が格納している前記ユーザ識別情報を比較することにより、前記利用ユーザを認証するユーザ認証部と、前記認証部が前記利用ユーザの認証に成功した場合に、認証に成功した旨を示す認証済情報を格納する認証済情報格納部とを有し、前記デバイスの前記通信部は、前記ユーザ認証部が前記利用ユーザの認証に成功した場合に、前記認証済情報を前記ホストに送信し、前記ホストの前記通信部は、前記デバイスとの無線通信のアソシエーションにおいて、前記デバイスに前記認証済情報を送信し、前記デバイスの前記通信部は、前記ホストから受信した前記認証済情報と、前記認証済情報格納部が格納している前記認証済情報とが一致した場合に、前記ホストとの前記アソシエーションを継続することを特徴とする。
【手続補正６】
【補正対象書類名】明細書
【補正対象項目名】００２５
【補正方法】変更
【補正の内容】
【００２５】
また、本発明の他の形態は、デバイスに対し、無線通信を要求するホストであって、前記デバイスとの無線通信を要求する通信要求を前記デバイスに送信する前に、当該ホストを利用している利用ユーザを識別する利用ユーザ識別情報を前記デバイスに送信する通信部と、前記通信部が前記デバイスから前記利用ユーザの認証に成功した旨を示す認証済情報を受信すると、当該認証済情報を格納する認証済情報格納部とを有し、前記通信部は、前記デバイスとの無線通信のアソシエーションにおいて、前記デバイスに前記認証済情報を送信し、前記デバイスから当該デバイスとのアソシエーションの継続を許可された場合に、前記アソシエーションを継続することを特徴とする。
【手続補正７】
【補正対象書類名】明細書
【補正対象項目名】００２６
【補正方法】変更
【補正の内容】
【００２６】
また、本発明の他の形態は、ホストから無線通信の要求を受信するデバイスであって、前記ホストから、当該ホストを利用する利用ユーザを識別する利用ユーザ識別情報を受信する通信部と、前記デバイスとの通信を許可されているユーザのユーザ識別情報を格納するユーザ識別情報格納部と、前記通信部が受信した前記利用ユーザ識別情報と前記ユーザ識別情報格納部が格納している前記ユーザ識別情報を比較することにより、前記利用ユーザを認証するユーザ認証部と、前記ユーザ認証部が前記利用ユーザの認証に成功した場合に、認証に成功した旨を示す認証済情報を格納する認証済情報格納部とを有し、前記通信部は、前記ユーザ認証部が前記利用ユーザの認証に成功した場合に、前記認証済情報を前記ホストに送信し、前記通信部は、前記ホストから受信した前記認証済情報と、前記認証済情報格納部が格納している前記認証済情報とが一致した場合に、前記ホストとの前記アソシエーションを継続することを特徴とする。
【手続補正８】
【補正対象書類名】明細書
【補正対象項目名】００２７
【補正方法】変更
【補正の内容】
【００２７】
また、本発明の他の形態は、無線通信を要求するホストと、前記要求を受信するデバイスとを備えた無線通信システムにおける無線通信方法であって、前記デバイスは、前記デバイスとの通信を許可されているユーザのユーザ識別情報を格納するユーザ識別情報格納部を備え、前記ホストの通信部が、前記デバイスとの無線通信を要求する通信要求を前記デバイスに送信する前に、当該ホストを利用している利用ユーザを識別する利用ユーザ識別情報を前記デバイスに送信する第１通信ステップと、前記デバイスの通信部が、前記ホストから前記利用ユーザ識別情報を受信する第２通信ステップと、前記デバイスのユーザ認証部が、前記デバイスの前記通信部が受信した前記利用ユーザ識別情報と前記格納部が格納している前記ユーザ識別情報を比較することにより、前記利用ユーザを認証するユーザ認証ステップと、前記デバイスの前記通信部が、前記ユーザ認証部が前記利用ユーザの認証に成功した場合に、前記認証済情報を前記ホストに送信する第３通信ステップと、前記ホストの前記通信部が、前記デバイスとの無線通信のアソシエーションにおいて、前記デバイスに前記認証済情報を送信する第４通信ステップと、前記デバイスの前記通信部が、前記ホストから受信した前記認証済情報と、前記認証済情報格納部が格納している前記認証済情報とが一致した場合に、前記ホストとの前記アソシエーションを継続する第５通信ステップとを有することを特徴とする。
【手続補正９】
【補正対象書類名】明細書
【補正対象項目名】００２８
【補正方法】変更
【補正の内容】
【００２８】
また、本発明の他の形態は、デバイスに対し、無線通信を要求するホストにおける無線通信方法であって、通信部が、前記デバイスとの無線通信を要求する通信要求を前記デバイスに送信する前に、当該ホストを利用している利用ユーザを識別する利用ユーザ識別情報を前記管理サーバに送信する第１通信ステップと、前記通信部が前記デバイスから前記利用ユーザの認証に成功した旨を示す認証済情報を受信する第２通信ステップと、前記通信部が、前記デバイスとの無線通信のアソシエーションにおいて、前記デバイスに前記認証済情報を送信する第３通信ステップと、前記通信部が、前記デバイスから当該デバイスとのアソシエーションの継続を許可された場合に、前記アソシエーションを継続する第４通信ステップとを有することを特徴とする。
【手続補正１０】
【補正対象書類名】明細書
【補正対象項目名】００２９
【補正方法】変更
【補正の内容】
【００２９】
また、本発明の他の形態は、ホストから無線通信の要求を受信するデバイスにおける無線通信方法であって、前記デバイスは、前記デバイスとの通信を許可されているユーザのユーザ識別情報を格納するユーザ識別情報格納部を備え、通信部が、前記ホストから、当該ホストを利用する利用ユーザを識別する利用ユーザ識別情報を受信する第１通信ステップと、ユーザ認証部が、前記通信部が受信した前記利用ユーザ識別情報と前記ユーザ識別情報格納部が格納している前記ユーザ識別情報を比較することにより、前記利用ユーザを認証するユーザ認証ステップと、前記通信が、前記ユーザ認証ステップで前記利用ユーザの認証に成功した場合に、前記認証済情報を前記ホストに送信する第２通信ステップと、前記通信部が、前記ホストから受信した前記認証済情報と、前記認証済情報格納部が格納している前記認証済情報とが一致した場合に、前記ホストとの前記アソシエーションを継続する第３通信ステップとを有することを特徴とする。
【手続補正１１】
【補正対象書類名】明細書
【補正対象項目名】００３０
【補正方法】変更
【補正の内容】
【００３０】
本発明によれば、本来デバイスへのアクセス権限を有さないホストのユーザからの指示による、ホストとデバイスの間のアソシエーションの実行を制限することができるという効果を奏する。
【手続補正１２】
【補正対象書類名】明細書
【補正対象項目名】００３２
【補正方法】変更
【補正の内容】
【００３２】
以下に添付図面を参照して、この発明にかかる無線通信システム、ホスト、デバイスおよび無線通信方法の最良な実施の形態を詳細に説明する。